(57)【要約】　　　（修正有）【課題】第１の物体にある磁気的特性によって、第２の物体にある磁気的特性に影響を与える磁気処理に付いて、磁気処理の結果を目で確認できるようにする。第３の物体を介在させた場合の磁気処理結果も目で確認できるようにする。【解決手段】第１のコイル１１に近接して第１の物体４を、第２のコイル１２に近接して第２の物体４０を置き、第１のコイルに通電し第１のコイルに生ずる磁気を第１の物体と第２の物体とに作用させ、次に第２のコイルに通電しこの第２のコイルに生ずる磁気を第１の物体と第２の物体とに作用させる。この磁気処理を行なう際に、第１のコイルと第１の物体とに第３の物体４１を介在させるか、または第２のコイルと第２の物体とに第３の物体を介在させる。この磁気処理を施した第２の物体のインピーダンス値を計測し画像を生成して出力する。更に第３の物体を介在させる。【選択図】　　　図２
2004000876.tif 000002
【特許請求の範囲】
【請求項１】
第１のコイルと、第２のコイルと、これらのコイルに直流電流を供給する電源供給回路と、この電源供給回路の作動を制御するすなわち第１のコイルに近接して第１の物体を、また第２のコイルに近接して第２の物体を置いた時に、制御回路は電源供給回路を制御して第１のコイルに通電しこの第１のコイルに生ずる磁気を第１の物体と第２の物体とに作用させ、次に２のコイルに通電してこの第２のコイルに生ずる磁気を第１の物体と第２の物体とに作用させるようにする、制御回路とから構成される磁気処理装置に於いて、第１のコイルと第１の物体とに第３の物体を介在させ得るように、第３の物体を第１のコイルに近接して固定的にまたは半固定的に取り付けることを特徴とする、磁気処理装置。
【請求項２】
第１のコイルと、第２のコイルと、これらのコイルに直流電流を供給する電源供給回路と、この電源供給回路の作動を制御するすなわち第１のコイルに近接して第１の物体を、また第２のコイルに近接して第２の物体を置いた時に、制御回路は電源供給回路を制御して第１のコイルに通電しこの第１のコイルに生ずる磁気を第１の物体と第２の物体とに作用させ、次に２のコイルに通電してこの第２のコイルに生ずる磁気を第１の物体と第２の物体とに作用させるようにする、制御回路とから構成される磁気処理装置に於いて、第２のコイルと第２の物体とに第３の物体を介在させ得るように、第３の物体を第２のコイルに近接して固定的にまたは半固定的に取り付けることを特徴とする、磁気処理装置。
【請求項３】
前記制御回路は、第１のコイルに通電し、次に第２のコイルに通電する制御を複数回繰り返すものである、請求項１または請求項２に記載の磁気処理装置。
【請求項４】
第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電し、この第２のコイルに生ずる磁気を第１の物体と第２の物体とに作用させ、このようにして磁気処理を行なう磁気処理方法に於いて、前記第１のコイルと第１の物体とに第３の物体を介在させることを特徴とする、磁気処理方法。
【請求項５】
第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電し、この第２のコイルに生ずる磁気を第１の物体と第２の物体とに作用させ、このようにして磁気処理を行なう磁気処理方法に於いて、前記第２のコイルと第２の物体とに第３の物体を介在させることを特徴とする、磁気処理方法。
【請求項６】
第１のコイルに通電し、次に第２のコイルに通電する制御を複数回繰り返すものである、請求項４または請求項５に記載の磁気処理方法。
【請求項７】
第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電し、この第２のコイルに生ずる磁気を第１の物体と第２の物体とに作用させ、このようにして予め、磁気処理を施しておいた第２の物体のインピーダンスの検知回路と、この検知回路により計測したインピーダンス値から画像を生成して出力する画像生成回路とから構成されることを特徴とする、磁気処理結果の画像確認装置。
【請求項８】
第１のコイルと、第２のコイルと、これらのコイルに直流電流を供給する電源供給回路と、この電源供給回路の作動を制御するすなわち第１のコイルに近接して第１の物体を、また第２のコイルに近接して第２の物体を置いた時に、制御回路は電源供給回路を制御して第１のコイルに通電しこの第１のコイルに生ずる磁気を第１の物体と第２の物体とに作用させ、次に第２のコイルに通電しこの第２のコイルに生ずる磁気を第１の物体と第２の物体とに作用させるようにする、制御回路とから構成され、更に前記第２の物体のインピーダンスの検知回路と、この検知回路によって計測したインピーダンス値から画像を生成して出力する画像生成回路とから構成されることを特徴とする、磁気処理結果の画像確認装置。
【請求項９】
前記制御回路は、第１のコイルに通電し、次に第２のコイルに通電する制御を複数回繰り返すものである、請求項８に記載の磁気処理結果の画像確認装置。
【請求項１０】
前記検知回路は、操作者の各指に接触する電極を有するものである、請求項７または請求項８に記載の磁気処理結果の画像確認装置。
【請求項１１】
前記画像生成回路は、前記検知回路からのインピーダンス値の時事刻々の変化に応じて画像を変化させるものである、請求項７または請求項８に記載の磁気処理結果の画像確認装置。
【請求項１２】
前記画像生成回路はオーラを模した画像を生成して出力するものである、請求項７または請求項８に記載の磁気処理結果の画像確認装置。
【請求項１３】
操作者を撮影するカメラを備え、前記画像生成回路は前記検知回路により計測したインピーダンス値に基づいて生成した画像にこのカメラによる画像を重ね合わせて出力するものである、請求項７または請求項８に記載の磁気処理結果の画像確認装置。
【請求項１４】
第３の物体を備え、前記第１のコイルと第１の物体とにこの第３の物体を介在させ得るように、第３の物体を第１のコイルに近接して固定的にまたは半固定的に取り付けて成る、請求項８に記載の磁気処理結果の画像確認装置。
【請求項１５】
第３の物体を備え、前記第２のコイルと第２の物体とにこの第３の物体を介在させ得るように、第３の物体を第２のコイルに近接して固定的にまたは半固定的に取り付けて成る、請求項８に記載の磁気処理結果の画像確認装置。
【請求項１６】
第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電して、この第２のコイルに生ずる磁気を第１の物体と第２の物体とに作用させ、このようにして予め、磁気処理を施しておいた第２の物体のインピーダンス値を計測して、この計測値に基づいて画像を生成して出力することを特徴とする、磁気処理結果の画像確認方法。
【請求項１７】
第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電し、この第２のコイルに生ずる磁気を第１の物体と第２の物体とに作用させ、このようにして磁気処理した第２の物体のインピーダンス値を計測し、この計測値に基づいて画像を生成して出力することを特徴とする、磁気処理結果の画像確認方法。
【請求項１８】
前記第１のコイルに通電し、次に第２のコイルに通電する制御を複数回繰り返すものである、請求項１７に記載の磁気処理結果の画像確認方法。
【請求項１９】
前記インピーダンス値を、操作者の各指から計測するものである、請求項１６または請求項１７に記載の磁気処理結果の画像確認方法。
【請求項２０】
前記インピーダンス値の時事刻々の変化に応じて、画像を変化させるものである、請求項１６または請求項１７に記載の磁気処理結果の画像確認方法。
【請求項２１】
前記インピーダンス値から、オーラを模した画像を生成して出力するものである、請求項１６または請求項１７に記載の磁気処理結果の画像確認方法。
【請求項２２】
前記インピーダンス値に基づいて生成した画像に、カメラで撮影した操作者の画像を重ね合わせ出力するものである、請求項１６または請求項１７に記載の磁気処理結果の画像確認方法。
【請求項２３】
前記第１のコイルと第１の物体とに第３の物体を介在させることを特徴とする、請求項１６または請求項１７に記載の磁気処理結果の画像確認方法。
【請求項２４】
前記第２のコイルと第２の物体とに第３の物体を介在させることを特徴とする、請求項１６または請求項１７に記載の磁気処理結果の画像確認方法。
【発明の詳細な説明】
【０００１】
【発明の属する技術分野】
この発明は、第１の物体または第２の物体に第３の物体を介在させ、第１乃至第３の物体に同時に磁気を作用させる処理を行なう装置及び方法、並びに第１の物体と第２の物体とに同時に磁気を作用させる処理を行なった場合に、その処理結果を画像にして目で見て確認することが出来るようにした装置及び方法に関する。なおここで言う物体とは、固体、液体、生体などのことである。
【０００２】
【従来の技術】
特許第２８９６０３０号の「液体の磁気処理方法」の発明は、ある特有の性質を有する液体とこれに対応して用意される液体に対して磁気を作用させるようにすることを目的とした液体の磁気処理方法に関するものであり、第１のコイルに近接して第１の液体を、第２のコイルに近接して第２の液体を、夫々位置付けて設置すると共に、前記第１のコイルに通電して、この第１のコイルに生ずる磁気を前記第１の液体と第２の液体とに作用させる工程と、前記第１のコイルに対する通電を終了した後、前記第２のコイルに通電して、この第２のコイルに生ずる磁気を前記第１の液体と第２の液体とに作用させる工程とを１ないし複数回含むことを特徴とするものである。
【０００３】
上記は、第１の液体と、第２の液体とを同一の磁界内、特にコイルなどの導体に流れる電流によって生ずる磁界内に位置付け、これを同時に磁気を作用させることによって、第１の液体にある磁気的な特性によって、第２の液体にある磁気的特性に影響をもたらす、と言うものである。従って特殊な天然水、例えば磁鉄鉱の岩盤内から取り出される地下水などを第１の液体とし、水質の低下に伴なう旨味の欠落、ガビ臭の発生と共に汚染に伴なう生体に対する悪影響のある都市部の水道水などを第２の液体として、両液体に同時に磁気を作用させるようにすることによって、基となる第１の液体と関連付けられる磁気作用の施された第２の液体を用意することが出来、この液体を第１の液体に代えて用いることが出来るようになる。
【０００４】
これに対して特開２００１−１４３２６２号の「磁気処理装置」は、液体同士のみならず、固体同士に於いても質的及び量的に十分な磁気処理を可能にするというものである。即ち第１のコイルと、第２のコイルと、これらのコイルに直流電流を供給する電源供給回路と、この電源供給回路の作動を制御する制御回路とを有する磁気処理装置であって、前記第１のコイルに近接した位置に情報源を配置すると共に、前記第２のコイルに近接した位置に被転写体を配置し、前記第１のコイルに通電しこの第１のコイルの前記情報源に近接する部分がプラスの磁場となるように第１のコイルを一定時間励磁させてから通電を停止させた後、前記第２のコイルに通電し前記被転写体に近接する部分がマイナスの磁場となるようにコイルを一定時間励磁させてから一定時間通電を停止させる第１の工程を１ないし複数回繰り返した後、前記第１のコイルと第２のコイルとを同時に通電し、前記第１のコイルの前記磁気情報源に近接する部分が一定時間プラスの磁場に、前記第２のコイルの前記被転写体に近接する部分が一定時間マイナスの磁場となるように励磁させてから一定時間通電を停止させる第２工程を１ないし複数回繰り返すようにしたことを特徴とするものである。
【０００５】
この発明では磁気情報の転写の効果を確認するために、音楽ＣＤに音質を向上させる磁気情報を転写し、それにより、磁気情報を転写されたＣＤの音質が向上するか否かのモニター試験を行なった結果、かなり音質が改善することが確認されたと言うことである。
【０００６】
【発明が解決しようとする課題】
しかしながら、上記特許第２８９６０３０号の「液体の磁気処理方法」の発明では、第１の液体にある磁気的な特性によって、第２の液体にある磁気的特性に影響をもたらすが、この作用を目で見て確認できるような手段が備わっていないため、磁気処理が確かに行なわれたということが分かりづらい。また同様に特開２００１−１４３２６２号の「磁気処理装置」の発明では、音楽ＣＤを例に上げて、モニター試験を行なったとあるが、これは主観的なものであるから、やはり目で見るようには作用を確認することができないでいる。従ってこの発明の課題は、これらの磁気処理結果を目に見えるようにすることにある。目に見えるようにすることによって、磁気処理の前後の違いを容易に知ることができるからである。磁気処理による変化の有無を、変化が現われている場合にはその度合などを視覚的に確認したいのである。
【０００７】
なお上記特許第２８９６０３０号の「液体の磁気処理方法」の発明が処理対象とするのは液体であり、特開２００１−１４３２６２号の「磁気処理装置」の発明が処理対象とするのは固体である。しかしながら、液体同士、固体同士の磁気処理のみならず、より広い物質を対象に磁気処理を行なうことができるのではないかと言う知見を、本発明者は得た。すなわち液体と固体の組み合わせによる磁気処理が可能であり、更にはこれらと生体特に人体との組み合わせ、人体と人体との組み合わせに於いても磁気処理を行なうことが可能であると言う知見を得たのである。従ってこの発明の別の課題は、更に複雑な物体の組み合わせを可能にすることにある。また上述したより広い物質を対象に磁気処理を行なうことに付いてや、更に複雑な物体の組み合わせで磁気処理を行なうことに付いて、やはりその作用を目で見て確認することが出来るようにしたいのである。そうであればこそ、素人にも使用してもらえるような、優れた磁気処理技術になると言うものである。
【０００８】
【課題を解決するための手段及び作用】
上記の課題は、第１のコイルと、第２のコイルと、これらのコイルに直流電流を供給する電源供給回路と、この電源供給回路の作動を制御するすなわち第１のコイルに近接して第１の物体を、また第２のコイルに近接して第２の物体を置いた時に、制御回路は電源供給回路を制御して第１のコイルに通電してこの第１のコイルに生ずる磁気を第１の物体と第２の物体とに作用させ、次に２のコイルに通電してこの第２のコイルに生ずる磁気を第１の物体と第２の物体とに作用させるようにする、制御回路とから構成される磁気処理装置に於いて、第１のコイルと第１の物体とに第３の物体を介在させ得るように、第３の物体を第１のコイルに近接して固定的にまたは半固定的に取り付けることを特徴とする、磁気処理装置とすることにより達成される。
【０００９】
即ち、第１のコイルに近接して第１の物体と第３の物体を、また第２のコイルに近接して第２の物体を置き、第１のコイルに通電し、この第１のコイルに生ずる磁気を第１の物体と第３の物体とのセット、並びに第２の物体とに作用させ、次いで第２のコイルに通電して、この第２のコイルに生ずる磁気を第１の物体と第３の物体とのセット、並びに第２の物体とに作用させ、このようにして第２の物体に磁気処理を施すのである。すなわち、第１のコイルと第１の物体とに第３の物体を介在させるようにした。
【００１０】
第１のコイルに生ずる磁気や、第２のコイルに生ずる磁気の中に、第１の物体と第３の物体と第２の物体とを同時に置くと、第１の物体及び第３の物体の磁気的特性によって第２の物体に影響をもたらすのである。このことは、単に液体同士、固体同士の磁気処理のみならず、液体と固体の組み合わせによる磁気処理が可能であり、更にはこれらと生体特に人体との組み合わせ、人体と人体との組み合わせに於いても磁気処理を行なうことが可能である。なお、第１の物体と第３の物体とで、どちらの側を第１のコイル寄りに置くかは任意である。またこの際第３の物体を第１のコイルに近接して固定的に置く場合がある。特定された第３の物体による磁気的な影響を常に利用したい場合がこれに当たる。或いは第３の物体を半固定的に置く場合もある。半固定的とは着脱自在と言うことであって、いくつもある第３の物体による磁気的な影響を選択的に利用したい場合がこれに当たる。なお第３の物体を半固定にする設計は自由である。
【００１１】
また上記課題は、第１のコイルと、第２のコイルと、これらのコイルに直流電流を供給する電源供給回路と、この電源供給回路の作動を制御するすなわち第１のコイルに近接して第１の物体を、また第２のコイルに近接して第２の物体を置いた時に、制御回路は電源供給回路を制御して第１のコイルに通電しこの第１のコイルに生ずる磁気を第１の物体と第２の物体とに作用させ、次に２のコイルに通電してこの第２のコイルに生ずる磁気を第１の物体と第２の物体とに作用させるようにする、制御回路とから構成される磁気処理装置に於いて、第２のコイルと第２の物体とに第３の物体を介在させ得るように、第３の物体を第２のコイルに近接して固定的にまたは半固定的に取り付けることを特徴とする、磁気処理装置とすることにより達成される。第２のコイルと第２の物体とに、第３の物体を介在させるのである。
【００１２】
即ち、第２のコイルに近接して第２の物体と第３の物体を、また第１のコイルに近接して第１の物体を置き、第２のコイルに通電し、この第２のコイルに生ずる磁気を第２の物体と第３の物体とのセット、並びに第１の物体とに作用させ、次いで第１のコイルに通電し、この第１のコイルに生ずる磁気を第１の物体並びに第２の物体と第３の物体とのセットに作用させる。このような磁気処理を行なうのである。
【００１３】
第１のコイルに生ずる磁気や、第２のコイルに生ずる磁気の中に、第２の物体と第３の物体と第１の物体とを同時に置くと、第１の物体及び第３の物体の磁気的特性によって第２の物体に影響をもたらすのである。なお第２のコイルに近接して第３の物体を置き、この第３の物体から延ばした枝に第２の物体を接触させるような設置が可能である。即ち磁気的影響をこの枝を通じて第２の物体に及ぼすものと考え得る。
【００１４】
次に上記２つの手段に付いて、前記制御回路は、第１のコイルに通電し、次に第２のコイルに通電する制御を複数回繰り返すものとすることが出来る。
【００１５】
このような制御を複数回繰り返すことで、第１の物体及び第３の物体の磁気的特性によって第２の物体に与える影響に、繰り返しによる強化が見られることになる。
【００１６】
さて、上記課題は、第１のコイルと、第２のコイルと、これらのコイルに直流電流を供給する電源供給回路と、この電源供給回路の作動を制御する即ち第１のコイルに近接して第１の物体を、また第２のコイルに近接して第２の物体を置いたときに、制御回路は電源供給回路を制御して第１のコイルに通電しこの第１のコイルに生ずる磁気を第１の物体と第２の物体とに作用させ、次に第２のコイルに通電して、この第２のコイルに生ずる磁気を第１の物体と第２の物体とに作用させるようにする、制御回路とから構成され、さらに前記第２の物体のインピーダンスの検知回路と、この検知回路により計測したインピーダンス値から画像を生成して出力する画像生成回路とから構成されることを特徴とする、磁気処理結果の画像確認装置とすることにより達成される。
【００１７】
すなわち、第１のコイルに近接して第１の物体を、また第２のコイルに近接して第２の物体を置き、第１のコイルに通電し、この第１のコイルに生ずる磁気を第１の物体と第２の物体とに作用させ、次いで第２のコイルに通電し、この第２のコイルに生ずる磁気を第１の物体と第２の物体とに作用させ、このようにして磁気処理した第２の物体のインピーダンス値を計測し、この計測値に基づき画像を生成して出力するようにした。
【００１８】
第１のコイルに生ずる磁気や、第２のコイルに生ずる磁気の中に、第１の物体と第２の物体とを同時に置くと、第１の物体の磁気的特性によって第２の物体に影響をもたらすのである。このことは、単に液体同士、固体同士の磁気処理のみならず、液体と固体の組み合わせによる磁気処理が可能であり、更にはこれらと生体特に人体との組み合わせ、人体と人体との組み合わせに於いても磁気処理を行なうことが可能である。
【００１９】
次に、第１の物体の磁気的特性により影響がもたらされた第２の物体の、インピーダンス値を計測し、その結果を基に画像を生成して出力する。画像を生成すると言う場合、計測されたインピーダンス値を画像生成関数に与えて作り出すようにしたり、或いはインピーダンス値に対応させて用意しておいた画像の中からそのインピーダンス値に合致するものを選択して出力することをいう。このように、画像として見せることにより、第１の物体の磁気的特性により影響がもたらされた第２の物体のインピーダンス値が、第１の物体の磁気的特性により影響がもたらされる以前の第２の物体のインピーダンス値とは異なるものであることが分かるのである。なお出力としては、モニターに表示したり、印刷したりすることを言う。
【００２０】
ところで上記に於いて、第１のコイルに通電し、次に第２のコイルに通電する制御を複数回繰り返すようにすることができる。これにより第１の物体の磁気的特性によって第２の物体に与える影響に、繰り返しによる強化が見られることになる。
【００２１】
また、前記インピーダンス値を、操作者の各指から計測するものとすることができる。操作者は事前に第１のコイルに第１の物体を、また第２のコイルに第２の物体として例えば自己の左手を置いて、磁気処理を行なっておく。このようにして磁気処理した左手のインピーダンス値を計測し、その値をデジタル値に変換し、その値に基づく画像を生成して出力する。なお基準となる電極を掌に当て、この電極と各指が接触する電極との間のインピーダンス値を計測するようにしたり、各指間のインピーダンス値を計測することができる。電極は平板状であっても、指輪のように指の回りから接触するタイプのものであってもよく、その形態は任意である。
【００２２】
また、前記インピーダンス値の時事刻々の変化に応じて、画像を変化させるものとすることが出来る。カメラのシャッターを切るように、ある一瞬のインピーダンス値を捉えるのもよいが、定期的にインピーダンス値を計測し、その変化に基づき画像を更新してモニターに表示するようにしてもよい。
【００２３】
また、前記インピーダンス値から、オーラを模した画像を生成して出力するものとすることが出来る。このインピーダンス値を操作者の生体エネルギーとして見せるようにするのである。上述したように、操作者の各指から複数のインピーダンス値を計測するのであれば、このインピーダンス値から全測定時間中の平均値（平均値）と、現時点より過去のある時点までの所定期間の平均値（過渡値）とを演算し、一方オーラを模した画像に付いて、これを同心状に表示可能にしておき、前記平均値から内側のオーラの色を選択し、前記過渡値から外側のオーラの色を選択して出力することが出来る。あるいはまた別の見せ方も任意に設定することが可能である。また画像としてチャクラを模した表示を行なうことが出来るように設定してもよい。
【００２４】
また、前記インピーダンス値に基づいて生成した画像にカメラで撮影した操作者の画像を重ね合わせて出力するものとすることができる。操作者の写真とインピーダンス値との対応関係が明らかとなり、後に取り違えたりすることがない。なお画像を前記オーラ画像とし、カメラで撮影した操作者の画像の背景画像として合成することも興味深い。
【００２５】
また、第３の物体を備え、前記第１のコイルと第１の物体とにこの第３の物体を介在させ得るように、第３の物体を第１のコイルに近接して固定的にまたは半固定的に取り付けるようにしてもよい。これによって、第１の物体の磁気的特性及び第３の物体の磁気的特性により影響がもたらされた第２の物体の、インピーダンス値を計測し、その結果を基に画像を生成して出力することが出来る。
【００２６】
また、第３の物体を備え、前記第２のコイルと第２の物体とにこの第３の物体を介在させ得るように、第３の物体を第２のコイルに近接して固定的にまたは半固定的に取り付けるようにしてもよい。これによって第２の物体に、第１の物体の磁気的特性及び第３の物体の磁気的特性による影響がもたらされるので、この第２の物体のインピーダンス値を計測し、その結果を基に画像を生成して出力するのである。
【００２７】
なお上記課題は、第１のコイルに近接して第１の物体を、また第２のコイルに近接して第２の物体を置き、第１のコイルに通電し、この第１のコイルに生ずる磁気を第１の物体と第２の物体とに作用させ、次に第２のコイルに通電してこの第２のコイルに生ずる磁気を第１の物体と第２の物体とに作用させ、このようにして予め、磁気処理を施しておいた第２の物体のインピーダンスの検知回路と、この検知回路により計測したインピーダンス値から画像を生成して出力する画像生成回路とから構成されることを特徴とする、磁気処理結果の画像確認装置とすることによっても達成される。
【００２８】
すなわち予め磁気処理を施しておいた、第２の物体のインピーダンス値を計測し、この計測値に基づいて画像を生成して出力するようにしたのである。従って磁気処理そのものはここでは行なわれない。
【００２９】
第１の物体の磁気的特性によって影響がもたらされた第２の物体の、インピーダンス値を計測し、その結果を基に画像を生成して見せることによって、第１の物体の磁気的特性により影響がもたらされた第２の物体のインピーダンス値が、第１の物体の磁気的特性により影響がもたらされる以前の第２の物体のインピーダンス値とは異なるものであることが分かる。また第３の物体を介在させた場合には、この第３の物体の影響を第２の物体が受けたことが明らかと成る。
【００３０】
【発明の実施の形態】
以下、この発明の実施形態に付き、図面を参照しながら説明するが、この発明はこのような実施形態にのみ限定されるものではない。
【００３１】
（第１実施形態）
図１及び図２はこの発明の第１実施形態を表わす。この実施形態の磁気処理装置は、第１のコイル１１及び第２のコイル１２に電力を供給するための電源供給回路１と、直流電力をどのように供給するかを制御するための制御回路１０とから成る。第１のコイル１１と第２のコイル１２とは、各々物体を置くことが出来ると共に、ほぼ共通の磁力線Ｇの通り道と成るように並設されている。また後述する物体は第１のコイル１１の上や第２のコイル１２の上に直接的に置かれるのではなく、水平板１３を介して置かれるようにした。このためこの水平板１３の各々のコイルの位置に対応する表面に円形の図形を描いて、ここがコイルの真上に相当することを示した。またこの水平板１３の前記第１のコイル１１の上及び第２のコイル１２の上に相当する部位に、第３の物体４１を挿着するためのコ字形状の挿着枠１４を設けた。
【００３２】
さて、ここで例えば第３の物体４１をトルマリンから成る板状体とし、第１のコイル１１の上にある挿着枠１４に、図１の矢印方向から挿着する。その後第１の物体４をこの第３の物体４１の上に置き制御回路１０を用いて第１のコイルに通電すると、この第１のコイルに生ずる磁気Ｇが第１の物体４と第３の物体４１と、並びに第２の物体４０とに作用し、次に第２のコイルに通電するとこの第２のコイルに生ずる磁気Ｇが第１の物体４と第３の物体４１と、並びに第２の物体４０とに作用することに成る。この際第１のコイルへの通電の後は第１のコイルへの通電を遮断し、その後に第２のコイルへの通電を開始するように設定されている。またこの通電パターンを、設定回数だけ繰り返して行なうように設計されている。従って、第１の物体４及び第３の物体４１の磁気的特性によって第２の物体４０に影響をもたらすことが出来る。上記の例では第１の物体４の磁気的特性に加えて、トルマリンの磁気的特性による影響を第２の物体４０に及ぼすことが出来る。そして第３の物体４１は着脱自在であるから、必要に応じて用意した他の物体と交換することが可能である。なお常に特定の物体の磁気的特性を及ぼすべく、第３の物体４１を水平板１３の第１のコイル１１の上に固着してしまう設計も可能である。
【００３３】
（第２実施形態）
図３はこの発明の第２実施形態を表わす。上述した第１実施形態では、第３の物体４１を第１のコイル１１の上で着脱自在としたが、この実施形態では第２のコイル１２の上で挿着枠１４により着脱自在であるものとしている。上記同様、第１の物体４及び第３の物体４１の磁気的特性によって、第２の物体４０に影響をもたらすことが出来る。
【００３４】
なお、第３の物体４１を挿着枠１４に取り付けない状態で、図４で示すように手を第３の物体４１としてコイル１２の上に置くような用途も可能である。上述したように、磁気処理の対象となる物質として生体を選択することが出来るからである。
【００３５】
（第３実施形態）
図５乃至図９は本発明の第３実施形態を表わす。これは磁気処理結果の画像確認装置及び画像確認装置方法に係る実施形態である。この実施形態の磁気処理部は図５で示された通り、第１のコイル１１及び第２のコイル１２に電力を供給するための電源供給回路１と、直流電力をどのように供給するかを制御するための制御回路１０とから成る。第１のコイル１１と第２のコイル１２とは、各々物体を置くことが出来ると共に、ほぼ共通の磁力線Ｇの通り道と成るように並設されている。従って制御回路１０が第１のコイルに通電すると、この第１のコイルに生ずる磁気Ｇが第１の物体４と第２の物体４０とに作用し、次に第２のコイルに通電すると、この第２のコイルに生ずる磁気Ｇが第１の物体４と第２の物体４０とに作用することに成る。この際、第１のコイルへの通電の後は第１のコイルへの通電を遮断し、その後に第２のコイルへの通電を開始するように設定されている。またこの通電パターンを、設定回数だけ繰り返して行なうように設計されている。なお前記物体は第１のコイル１１の上や第２のコイル１２の上に直接的に置かれるのではなく、図示しない水平板を介して置かれるようにした。このためこの水平板の各々のコイルの位置に対応する表面に円形の図形を描いて、ここがコイルの真上に相当することを示した。なおこの実施形態では、第２のコイルの上に置かれる第２の物体４０を操作者の左手としている。
【００３６】
次にこの実施形態の画像生成部は図６で示した通り、基台３上に５つの指輪型の電極３０を取り付けて成る検知部と、これに配線された検知回路２０と、この検知回路２０により計測したインピーダンス値から画像を生成して出力する画像生成回路２と、この画像生成回路２で生成された画像を目に見える形で出力するディスプレイ２１とから成る。画像生成回路２は用意された人物画像９を、図７で表わすようにディスプレイ２１の中央部に表示すると共に、用意された４層のオーラ画像に、前記５つの電極３０の隣り合う電極間のインピーダンス値に対応するオーラの色を求めて割り当て表示すべく、両画像を合成して出力する。前記５つの電極３０には、先に磁気処理部にて磁気処理が施された左手の各指を接触させることに成る。なお符号５は第１層のオーラを、５０は第２層のオーラを、５１は第３層のオーラを、５２は第４層のオーラを示す。
【００３７】
さて上述した画像生成部をコンピュータを用いて実現した場合に付いて、図８及び図９を参照しつつ説明する。コンピュータはＣＰＵを用いずにハードウェアロジックにより構成することも可能であるが、ここではＣＰＵ６を用いた。即ちＣＰＵ６にはメモリ６０、記憶装置であるハードディスク６１、入力装置としてのマウス６２、表示装置であるディスプレイ６３、後述Ａ／Ｄコンバータ２２を接続するためのシリアルポート６４が接続されている。ハードディスク６１にはＯＳ７（オペレーティングシステム）、画像生成プログラム７０、画像パターン７１が記憶されている。
【００３８】
上述した基台３上に５つの指輪型の電極３０を取り付けて成る検知部はＡ／Ｄコンバータ２２に接続されている。このＡ／Ｄコンバータ２２は前記５つの電極３０の隣り合う電極間のインピーダンス値を計測すると共に、このアナログ値をコンピュータで扱い得るデジタル値に変換して、前記シリアルポート６４を介してＣＰＵ６に送り込む。而して画像生成プログラム７０は用意された人物画像９をディスプレイ２１の中央部に表示し、その回りに、用意された４層のオーラ画像に前記５つの電極３０の隣り合う電極間のインピーダンス値に対応するオーラの色を求めて割り当て表示する。コンピュータを用いる場合の利点は、前記画像パターン７１を数多く用意することが可能であり、また画像パターン７１を変更したり、画像生成プログラム７０を変更することが容易である点にある。
【００３９】
（第４実施形態）
図１０はこの発明の第４実施形態を表わす。上述の第３実施形態では、図５の磁気処理部と図６の画像生成部とは各々独立した装置であり、これ等を合わせて使用するものを説明した。これに対して第４実施形態は、磁気処理部と画像生成部とが主制御回路２３により制御されると共に、第２のコイル１２上に置かれた基台３の表面に、５つの指輪型の電極３０と、掌に当たる平板状の電極３１とが取り付けられて成るものである。
【００４０】
前記主制御回路２３は、第１のコイル上に置かれた第１の物体の磁気的特性によって影響がもたらされた、第２のコイル上に置かれた第２の物体である操作者の手に付いて、これをその場所に置いたままで、磁気処理の結果を基に画像を生成して見せる点に特徴を有する。なおこの実施形態では、掌に当たる電極３１と各々の指の電極３０との間のインピーダンス値を計測すると共に、その時事刻々と変化する様をディスプレイ２１に表示して見せるように設計されている。
【００４１】
（第５実施形態）
図１１及び図１２は本発明の第５実施形態を表わす。このコンピュータは上述した第３実施形態のものに、更にプリンタ６５とキャプチャボード６６とが接続されたものである。このキャプチャボード６６にはカメラ８が接続され、カメラ８で撮影した映像がディスプレイ６３に人物９０として表示される。なおこれは基台３の電極３０に指を入れるのに先立って撮影されるようにしている。
【００４２】
続いて電極３０に指を入れると、図示しない画像生成プログラムは各々の電極３０の隣り合う電極間のインピーダンス値を計測する。而して、先に撮影された人物画像９０の背景画像として図１２に示したようなオーラ画像を生成して表示する。符号５３は第１層のオーラを、５４は第２層のオーラを、５５は第３層のオーラを示し、また５６は７つのチャクラ（神経叢）を示す。これ等は電極間のインピーダンス値から計算されたものである。なおディスプレイ６３に表示された画像は、プリンタ６５から印刷出力として得ることが出来る。
【００４３】
（第６実施形態）
図１３はこの発明の第６実施形態を表わす。この実施形態の殆どの部分は上述の第４実施形態に倣うが、第２のコイル１２上に置かれた基台３の表面に５つの指輪型の電極３０と、掌に当たる平板状の電極３１と、第３の物体４１を挿着するためのコ字形状の挿着枠３２とが取り付けられて成るものである。この挿着枠３２は前記電極３０や電極３１を取り囲むように配置されている。
【００４４】
この第２のコイル１２の上にある挿着枠３２に、第３の物体４１を挿着する。その後第２の物体４０をこの第３の物体４１の上に置き、制御回路１０を用いて第１のコイルに通電すると、この第１のコイルに生ずる磁気Ｇが第１の物体４と第３の物体４１と、並びに第２の物体４０とに作用し、次に第２のコイルに通電すると、この第２のコイルに生ずる磁気Ｇが第１の物体４と第３の物体４１と、並びに第２の物体４０とに作用することに成る。この際第１のコイルへの通電の後は第１のコイルへの通電を遮断し、その後に第２のコイルへの通電を開始するように設定されている。またこの通電パターンを、設定回数だけ繰り返して行なうように設計されている。従って、第１の物体４及び第３の物体４１の磁気的特性によって第２の物体４０に影響をもたらすことが出来る。なお第３の物体４１は着脱自在であるから、必要に応じて用意した他の物体と交換することが可能である。なお常に特定の物体の磁気的特性を及ぼすべく、第３の物体４１を基台３の第２のコイル１２の上に固着してしまう設計も可能である。
【００４５】
なおこの実施形態では、第２のコイルの上に置かれる第２の物体４０を操作者の左手としている。従って、前記５つの電極３０には、先に磁気処理部にて磁気処理が施された左手の各指を接触させることに成る。主制御回路２３は、第１のコイル上に置かれた第１の物体の磁気的特性によって影響がもたらされた、第２のコイル上に置かれた操作者の手（第２の物体４０）に付いて、これをその場所に置いたままで磁気処理の結果を基に画像を生成して見せる点に特徴を有する。この際、操作者の手には、第３の物体４１の磁気的特性の影響が及んでいることに成る。
【００４６】
（第７実施形態）
図１４はこの発明の第７実施形態を表わす。上述した第６実施形態では挿着枠３２が第２のコイル１２の上に設けられていたが、この実施形態では挿着枠３２が第１のコイル１１の上に設けられている。従ってこの実施形態では第３の物体４１は第１のコイル１１の側に置かれることに成る。
【００４７】
（第８実施形態）
図１５及び図１６はこの発明の第８実施形態を表わす。第１のコイル１１に近接して第１の物体４を置き、第２のコイル１２と第２の物体４０とに第３の物体４１を介在させるのであるが、この際に前記第２のコイル１２に近接して第３の物体４１を置き、この第３の物体４１から延ばした枝に第２の物体４０を接触させるようにしている。すなわち第３の物体４１を人体とし、延ばした片腕を第２のコイル１２の上に置き、もう片方の腕を第２の物体４０に接触させるようにしたのである。このように延ばした両腕等を利用して他の物体にリレーさせることが可能であることが分かる。
【００４８】
（その他の実施形態）
なおこの発明は上述した実施形態に限定されないから、例えば前記磁気処理のパターンに上述の特開２００１−１４３２６２号の「磁気処理装置」の磁気処理パターンを採用することも出来、これもこの発明の権利範囲内である。また第２の物体への影響の計測のためにインピーダンス値の計測を行なう例を上げたが、これに限定されず、どの程度磁気を帯びているかを計測する帯磁センサや、物体の表面温度を計測する温度センサや、また物体が人体などの生体である場合にはその心拍数を計測する心拍センサなどを設けて、これ等の値を計測するようにしてもよく、これ等もまたこの発明の権利範囲内である。また画像については上述のオーラのような具象図でも、インピーダンス等の値の推移を表わす各種グラフを表示するようにしてもよく、これは任意設計事項である。
【００４９】
また第３の物体を、第１のコイルまたは第２のコイルに近接して固定的にまたは半固定的に取り付けるに当たっては、その取り付けの手段は任意である。固定的に取り付けるには接着やネジ止めなどの方法に依ればよいし、半固定的に取り付けるには上述した挿着枠に限定されず、粘着テープや面ファスナーなどの再剥離可能な接着手段を用いたり、ガラス板を載せて半固定するなどの方法に依ればよい。なお第３の物体と言うのは従来の第１の物体及び第２の物体に対する呼称であるから、第３の物体は１つに限られず、複数個の組み合わせを第３の物体と総称することが出来る。またこの場合に、複数個の組み合わせの、一方を第１のコイルに近接させ、残りの他方を第２のコイルに近接させるような構成も可能である。
【００５０】
【発明の効果】
以上、この発明は、磁気処理装を行なうものとして、第１のコイルに近接して第１の物体を、また第２のコイルに近接して第２の物体を置き、第１のコイルに通電しこの第１のコイルに生ずる磁気を第１の物体と第２の物体とに作用させ、次に第２のコイルに通電しこの第２のコイルに生ずる磁気を第１の物体と第２の物体とに作用させ、このようにして磁気処理を行なう磁気処理方法に於て、第１のコイルと第１の物体とに第３の物体を介在させるかまたは第２のコイルと第２の物体とに第３の物体を介在させることによって、第１の物体及び第３の物体の磁気的特性によって第２の物体に影響をもたらすことが出来るようにした。
【００５１】
この結果より複雑な物体の組み合わせが可能に成り、これにより得られたより複雑な磁気的特性によって第２の物体に影響を与えることが出来るように成っている。
【００５２】
またこの発明は、第１のコイルに近接して第１の物体を、また第２のコイルに近接して第２の物体を置き、第１のコイルに通電し、この第１のコイルに生ずる磁気を第１の物体と第２の物体とに作用させ、次に２のコイルに通電して、この第２のコイルに生ずる磁気を第１の物体と第２の物体とに作用させ、このようにして予め、磁気処理を施しておいた第２の物体のインピーダンス値を計測して、この計測値に基づいて画像を生成して出力するようにしたものである。またこの発明は、第１のコイルに近接して第１の物体を、第２のコイルに近接して第２の物体を置き、第１のコイルに通電しこの第１のコイルに生ずる磁気を第１の物体と第２の物体とに作用させ、次いで２のコイルに通電して、この第２のコイルに生ずる磁気を第１の物体と第２の物体とに作用させ、このようにして磁気処理した第２の物体のインピーダンス値を計測して、この計測値に基づき画像を生成して出力するようにしたものである。即ち、第１の物体の磁気的特性によって第２の物体に影響をもたらすが、この影響を画像にして出力するようにした。また、第３の物体を介在させることによるより複雑な磁気的特性によって、第２の物体に影響を与えるが、この影響を画像にして出力出来るように成った。
【００５３】
この結果、磁気処理の影響が目に見えるように成り、磁気処理の前後の違いを容易に知ることができるように成り、所期の目的を達成することが出来た。
【図面の簡単な説明】
【図１】第１実施形態の磁気処理装置の平面図である。
【図２】同実施形態の磁気処理回路のブロック図である。
【図３】第２実施形態の磁気処理回路のブロック図である。
【図４】他の用途を表わす説明図である。
【図５】第３実施形態の磁気処理部のブロック図である。
【図６】同実施形態の画像生成部のブロック図である。
【図７】生成された画像の表示状態説明図である。
【図８】ＣＰＵ６を用いた場合の画像生成部のブロック図である。
【図９】ハードディスク６１の構成図である。
【図１０】第４実施形態の画像確認装置のブロック図である。
【図１１】第５実施形態の画像確認装置のブロック図である。
【図１２】生成された画像の表示状態説明図である。
【図１３】第６実施形態の画像確認装置のブロック図である。
【図１４】第７実施形態の基台３の部分平面図である。
【図１５】第８実施形態の使用状態説明図である。
【図１６】同実施形態の使用状態説明図である。
【符号の説明】
１　　電源供給回路
１０　制御回路
１１　第１のコイル
１２　第２のコイル
１３　水平板
１４　挿着枠
２　　画像生成回路
２０　検知回路
２１　ディスプレイ
２２　Ａ／Ｄコンバータ
２３　主制御回路
３　　基台
３０　電極
３１　電極
３２　挿着枠
４　　第１の物体
４０　第２の物体
４１　第３の物体
５　　第１層のオーラ
５０　第２層のオーラ
５１　第３層のオーラ
５２　第４層のオーラ
５３　第１層のオーラ
５４　第２層のオーラ
５５　第３層のオーラ
５６　チャクラ
６　　ＣＰＵ
６０　メモリ
６１　ＨＤＤ
６２　マウス
６３　ディスプレイ
６４　シリアルポート
６５　プリンタ
６６　キャプチャボード
７　　ＯＳ
７０　画像生成プログラム
７１　画像パターン
８　　カメラ
９　　人物画像
９０　人物画像
Ｇ　　磁力線
【図１】
2004000876.tif 000003
【図２】
2004000876.tif 000004
【図３】
2004000876.tif 000005
【図４】
2004000876.tif 000006
【図５】
2004000876.tif 000007
【図６】
2004000876.tif 000008
【図７】
2004000876.tif 000009
【図８】
2004000876.tif 000010
【図９】
2004000876.tif 000011
【図１０】
2004000876.tif 000012
【図１１】
2004000876.tif 000013
【図１２】
2004000876.tif 000014
【図１３】
2004000876.tif 000015
【図１４】
2004000876.tif 000016
【図１５】
2004000876.tif 000017
【図１６】
2004000876.tif 000018